(57)【要約】【課題】リッド部材の開放時に、収納部内を複数の収納部分に仕切り得るようにする。【解決手段】  リッド部材Ｌは、開放時に、本体部材Ｍに設けた収納部１２の内部後方へ沈み込んで立ち上がった状態となる。リッド部材Ｌの収納部１２に臨む裏側に、板状の第１仕切部材Ｐ１および第２仕切部材Ｐ２が設けられる。第１仕切部材Ｐ１および第２仕切部材Ｐ２は、リッド部材Ｌの裏側に沿わせて収容した状態および開放した該リッド部材Ｌの裏側から収納部１２内へ延出して該収納部１２を仕切る仕切状態に変位し得る。仕切状態における第１仕切部材Ｐ１および第２仕切部材Ｐ２は、収納部１２における開放したリッド部材Ｌの裏側と対向する前壁１３および底壁１７に接触または近接する。【選択図】図１
2009143449.tif 000002
【特許請求の範囲】
【請求項１】
上方に開口する収納部を設けた本体部材と、前記本体部材に前記収納部を開閉可能に配設され、開放時に前記収納部の内部側方へ沈み込んで該収納部の底壁から立ち上がるリッド部材とを備えた容器ホルダにおいて、
前記リッド部材の前記収納部に臨む裏側に支持され、該リッド部材の裏側に沿わせて収容した状態および開放した該リッド部材の裏側から収納部内へ延出して該収納部を仕切る仕切状態に変位可能な仕切部材を備え、
前記仕切状態における仕切部材は、前記収納部における開放した前記リッド部材の裏側と対向する縦壁および前記底壁に接触または近接するよう構成した
ことを特徴とする容器ホルダ。
【請求項２】
前記仕切部材は、前記リッド部材の裏側に前記底壁と平行に延設したガイド部に、該ガイド部の延在方向に沿って移動可能に支持される請求項１記載の容器ホルダ。
【請求項３】
前記リッド部材の裏側に、前記ガイド部に沿って間隔をあけて設けた複数の第１係合部と、
前記仕切部材の側に設けられ、前記各第１係合部と弾力的に係合して該仕切部材を保持する第２係合部とを備えた請求項１または２記載の容器ホルダ。
【請求項４】
前記仕切部材に折り畳み可能に設けられ、該仕切部材で仕切られた前記収納部内に収納した飲料容器を保持する保持部材を備えた請求項１〜３の何れか一項に記載の容器ホルダ。
【発明の詳細な説明】
【技術分野】
【０００１】
本発明は、車両内装部材等に設けられる容器ホルダに関するものである。
【背景技術】
【０００２】
車両の乗員室内には、シートに隣接したインストルメントパネルやフロアコンソール等の車両内装部材に、飲料容器等を収納保持し得る容器ホルダ(「カップホルダ」とも云う)が具備されている。この容器ホルダは、設置部位により様々な形態のものが実用がされており、非使用時には車両内装部材内に収納されて使用時に引き出すスライドタイプや、上方に開口した収納部を設けた埋込みタイプ等が実用化されている。前述した埋込みタイプの容器ホルダは、フロアコンソールの上面等に配設され、上方に開口する収納部を形成した本体部材と、この本体部材に収納部を開閉可能に配設されたリッド部材とを備えるものがある。
【０００３】
前述した埋込みタイプの容器ホルダは、５００ｍｌのペットボトルや角形の紙パック等の大型飲料容器を、２本並べて収納保持し得る開口形状およびサイズの収納部を備えている。従って容器ホルダには、収納した飲料容器が倒れないように保持する保持部材が設けられている。また容器ホルダは、飲料容器を収納しない場合または飲料容器を１本だけ収納する場合に、小型の物品を収納する物品収納部として収納部を使用し得る。このような容器ホルダは、例えば特許文献１に開示されている。
【特許文献１】特開平８−２８２３８２号公報
【発明の開示】
【発明が解決しようとする課題】
【０００４】
特許文献１の図１および図３に開示されたカップホルダー付きの車両用小物収納装置は、蓋体(リッド部材)の裏側にシャフトに沿ってスライド可能なカップホルダー(保持部材)を備えており、この保持部材を移動させることでサイズの異なる飲料容器を保持し得ると共に、小型の物品の収納が可能となっている。しかるにカップホルダーは、リッド部材からボックスの上方開口部に延出するレバー状の部材であって、該ボックス内を左右に完全に仕切る形状となっていない。このため、飲料容器が収納されていない部分に収納した物品が、車両の振動等により飲料容器が収納された側へ移動してしまい、飲料容器に接触したり、該飲料容器とボックス壁部との隙間に入り込むのを防止できない。また、カップホルダーは、スライド穴に挿通したシャフトに沿って摺動するよう構成されており、該スライド穴が損耗により拡大した場合には車両の振動等で移動してしまい、飲料容器を適切に保持できなくなる欠点も内在している。
【０００５】
そこで本発明では、前述した従来の技術に内在している課題に鑑み、リッド部材の開放時に、収納部内を複数の収納部分に仕切り得るようにした容器ホルダを提供することを目的とする。
【課題を解決するための手段】
【０００６】
前記課題を解決し、所期の目的を達成するため、請求項１に記載の発明は、上方に開口する収納部を設けた本体部材と、前記本体部材に前記収納部を開閉可能に配設され、開放時に前記収納部の内部側方へ沈み込んで該収納部の底壁から立ち上がるリッド部材とを備えた容器ホルダにおいて、
前記リッド部材の前記収納部に臨む裏側に支持され、該リッド部材の裏側に沿わせて収容した状態および開放した該リッド部材の裏側から収納部内へ延出して該収納部を仕切る仕切状態に変位可能な仕切部材を備え、
前記仕切状態における仕切部材は、前記収納部における開放した前記リッド部材の裏側と対向する縦壁および前記底壁に接触または近接するよう構成したことを要旨とする。
【０００７】
従って、請求項１に係る発明によれば、収納部を仕切る仕切部材をリッド部材に設けたので、該リッド部材の開放時には収納部内を複数の収納部分に仕切ることができる。これにより、仕切部材で仕切られた各収納部分に、飲料容器や物品を分けて収納することができる。そして、一方の収納部分に収納した物品が他方の収納部分へ移動しないので、物品の適切な収納および保持が図られる。
【０００８】
請求項２に記載の発明は、前記仕切部材は、前記リッド部材の裏側に前記底壁と平行に延設したガイド部に、該ガイド部の延在方向に沿って移動可能に支持されることを要旨とする。
従って、請求項２に係る発明によれば、仕切部材が仕切状態において収納部内をスライドし得るので、該仕切部材で仕切られた各収納部分の大きさを変更調整し得る。従って、収納する物品の大きさや数量に合わせて、仕切部材を最適な位置に移動し得る。
【０００９】
請求項３に記載の発明は、前記リッド部材の裏側に、前記ガイド部に沿って間隔をあけて設けた複数の第１係合部と、
前記仕切部材の側に設けられ、前記各第１係合部と弾力的に係合して該仕切部材を保持する第２係合部とを備えたことを要旨とする。
従って、請求項３に係る発明によれば、スライドさせた仕切部材を収納部内の適宜位置に保持することができ、車両の振動等により収納した物品が仕切部材を押したとしても、該仕切部材が移動することを防止し得る。
【００１０】
請求項４に記載の発明は、前記仕切部材に折り畳み可能に設けられ、該仕切部材で仕切られた前記収納部内に収納した飲料容器を保持する保持部材を備えたことを要旨とする。
従って、請求項４に係る発明によれば、仕切部材により仕切られた収納部分に収納した飲料容器を、保持部材により好適に保持し得る。
【発明の効果】
【００１１】
本発明に係る容器ホルダによれば、収納部を仕切る仕切部材をリッド部材に設けたので、該リッド部材の開放時には収納部内を複数の収納部分に仕切ることができ、各収納部分に対して飲料容器や物品を分けて収納することができる。そして、一方の収納部分に収納した物品が他方の収納部分へ移動しないので、物品の適切な収納および保持が図られる。
【発明を実施するための最良の形態】
【００１２】
次に、本発明に係る容器ホルダにつき、好適な実施例を挙げて、添付図面を参照しながら以下説明する。なお実施例では、リッド部材Ｌの開閉方向を容器ホルダＨの前後方向、リッド部材Ｌの開閉方向と交差する方向を容器ホルダＨの左右方向と指称する。またリッド部材Ｌは、該リッド部材Ｌの開放時に本体部材Ｍの収納部１２内へ沈み込む側を後端部、上方へ立ち上がる側を前端部と指称する。
【実施例】
【００１３】
図１は、実施例に係る容器ホルダＨを、リッド部材Ｌを後方へ開放させると共に、該リッド部材Ｌに配設した各仕切部材Ｐ１,Ｐ２により収納部１２を仕切った状態で示した斜視図である。実施例の容器ホルダＨは、上方に開口する収納部１２を設けた本体部材Ｍと、本体部材Ｍに前記収納部１２を開閉可能に配設されたリッド部材Ｌと、リッド部材Ｌの裏側に配設した２枚の仕切部材Ｐ１,Ｐ２とを備えている。これら仕切部材Ｐ１,Ｐ２は、被使用時にはリッド部材Ｌの裏側に沿わせた状態に保持され、開放したリッド部材Ｌの裏面３１から引き出して収納部１２内へ延出させることで、該収納部１２を左右方向において仕切るためのものである。なお、説明の便宜上、リッド部材Ｌの左側に配設された仕切部材Ｐ１を第１仕切部材、右側に配設された仕切部材Ｐ２を第２仕切部材と指称する。
【００１４】
本体部材Ｍは、図１、図２および図４に示すように、図示しない車両内装部材の上面に取り付けられる横長の箱状部材であって、別体に形成された第１本体部１０と第２本体部１１とを組み合わせて構成されている。すなわち本体部材Ｍは、第１本体部１０の後側開口部分を塞ぐように第２本体部１１を該第１本体部１０に組み付けることで、上方に開口した横長矩形状の収納部１２を画成する。なお収納部１２は、容器ホルダＨの左右方向における横寸法Ｓ１が、該容器ホルダＨの前後方向における前後寸法Ｓ２の略２倍となる横長矩形状とされ、５００ｍｌのペットボトルや角形の紙パック等の大型飲料容器を、２本並べて収納保持し得るサイズに形成されている。
【００１５】
第１本体部１０は、収納部１２の前壁１３、左側壁１４、右側壁１５および底壁１７と、車両内装部材の外面に露出する上枠部１８とを構成する合成樹脂製の一体成形部材であり、該上枠部１８の内側に収納部１２を上方へ開口する上方開口部１９が形成されている。前壁１３の上縁部には、上枠部１８からリッド部材Ｌの厚さ相当分だけ下方となる位置において、該リッド部材Ｌの前縁部を下方から当て受ける段部２０が形成されている。また図２に示すように、段部２０の左右中央には、プッシュロック・アンロックタイプの公知のラッチ装置２１が配設され、リッド部材Ｌの前端部中央から下方へ突設したフック部３５が該ラッチ装置２１に係脱可能に係合する。
【００１６】
第２本体部１１は、収納部１２の後壁１６と、左側壁１４および右側壁１５の一部とを構成する合成樹脂製の一体成形部材である。後壁１６は、図２および図４に示すように、上下方向において上下中間部分が後方へ膨出した曲面状に形成されており、開閉するリッド部材Ｌの後端部との干渉を回避して該リッド部材Ｌの開閉を許容する。
【００１７】
そして、左側壁１４および右側壁１５の外面には、図２および図４に示すように、リッド部材Ｌを本体部材Ｍに枢支するボス状の枢支軸２３,２３が、同一軸線上において側外方へ突設されている。また、左側壁１４および右側壁１５には、図１および図２に示すように、第１本体部１０と第２本体部１１とのパーティングライン上に、枢支軸２３,２３を中心とする円弧状のスリット２４,２４が形成される。これらスリット２４,２４には、リッド部材Ｌの左右両側端に設けた回転支持アーム３２,３２が本体部材Ｍの外方へ延出するよう挿通し、リッド部材Ｌの開閉に伴って該回転支持アーム３２,３２が該スリット２４,２４に沿って移動する。なお、図４では図示省略したが、第１本体部１０と第２本体部１１とは、ネジやフック等の係合手段により組み付けられる。
【００１８】
リッド部材Ｌは、図１および図３に示すように、本体部材Ｍの上方開口部１９に整合する矩形板状で、収納部１２に臨む裏面３１の外縁全周に亘ってリブ３０が形成されている。リッド部材Ｌの左端部３０Ａおよび右端部３０Ｂの後部には、該リッド部材Ｌの裏面３１に対して鉛直方向へ延出する一対の回転支持アーム３２,３２が、左右方向において対向配置されている。これら回転支持アーム３２,３２には、図３に示すように、本体部材Ｍに設けた枢支軸２３,２３が夫々挿通する枢支孔３３,３３が形成されている。従ってリッド部材Ｌは、各枢支軸２３,２３に各回転支持アーム３２,３２を枢支させることで本体部材Ｍに連結され、本体部材Ｍの上部に倒伏して上方開口部１９を閉成した閉成状態(図２)と、上方開口部１９を開放した開放状態(図８)の間で回転しながら姿勢変位する。そしてリッド部材Ｌは、上方開口部１９の開放時(開放状態)では収納部１２の内部後方(後方)へ沈み込み、後端部が底壁１７に当接すると共に前端部が上方へ立ち上がった状態となる。なお各枢支軸２３,２３には、図１および図３等に示すように、回転支持アーム３２と各側壁１４,１５とに係止される第１トーションスプリング３４,３４が配設され、これら第１トーションスプリング３４,３４により、リッド部材Ｌは常に開放状態に向けて姿勢変位するよう付勢されている。また、図１および図２に示すように、リッド部材Ｌの裏側には、該リッド部材Ｌの左端部３０Ａから右端部３０Ｂに亘って左右方向へ延在する後述の第１ガイド部４１および第２ガイド部４２が設けられている。
【００１９】
実施例の容器ホルダＨは、前述すると共に図１に示すように、第１仕切部材Ｐ１および第２仕切部材Ｐ２とを備えている。これら第１仕切部材Ｐ１および第２仕切部材Ｐ２は、左右方向において対称形状に形成され、基本的には同一構成となっている。従って、ここでは第１仕切部材Ｐ１についてのみ説明し、第２仕切部材Ｐ２に関しては、第１仕切部材Ｐ１と同一の部材および部位を同一の符号で指示し、詳細な説明は省略する。
【００２０】
第１仕切部材Ｐ１は、図３および図４に示すように、リッド部材Ｌに連結された支持端から自由端までの横寸法Ｄ１が収納部１２の前後寸法Ｓ２と略同一であり、閉成状態におけるリッド部材Ｌの前後方向と同一方向における縦寸法Ｄ２が該収納部１２の深さ寸法Ｓ３と略同一とされた矩形の板状部材である。そして、リッド部材Ｌに臨む側の外縁全周に亘りリブ５９が形成されている。すなわち、第１仕切部材Ｐ１および第２仕切部材Ｐ２の横寸法Ｄ１は、収納部１２の横寸法Ｓ１の略１／２であり、図８に示すように、第１仕切部材Ｐ１および第２仕切部材Ｐ２は、横並び状態でリッド部材Ｌの裏側に沿わせて収容される。また、前述した寸法関係により、仕切状態における第１仕切部材Ｐ１および第２仕切部材Ｐ２は、その端部が後述すると共に図１および図６(ａ)に示すように、収納部１２における開放したリッド部材Ｌの裏側と対向する縦壁としての前壁１３および底壁１７に、接触または近接するよう構成されている。なお、ここでの「近接」とは、第１仕切部材Ｐ１および第２仕切部材Ｐ２の端部が前壁１３および底壁１７に接触はしないものの、接触しそうなくらいの微小な間隔で対向した状態を意味する。従って、第１仕切部材Ｐ１および第２仕切部材Ｐ２と前壁１３および底壁１７との間隔は、これら第１仕切部材Ｐ１または第２仕切部材Ｐ２で仕切られた収納部１２に収納する各種物品より小さいので、仕切られた一方の収納部分に収納された物品が他方の収納部分へ移動することが防止される。
【００２１】
そして第１仕切部材Ｐ１には、第１仕切部材Ｐ１のリッド部材Ｌに沿わせた収容状態において、該リッド部材Ｌの左右中央に位置する端部の上方角部および下方角部に、第１支持ピン６０および第２支持ピン６１が同一軸線上に突設されている。第１支持ピン６０は、第１ガイド部４１に沿って移動するスライド部材７０に形成した支持孔７１に嵌合され、該スライド部材７０を第１仕切部材Ｐ１に回転可能に連結する。また第２支持ピン６１は、第２ガイド部４２に係合され、当該第１仕切部材Ｐ１をリッド部材Ｌに回転およびスライド可能に連結する。なお、第１仕切部材Ｐ１の第１支持ピン６０が形成された部位に凹部６２が形成され、第１仕切部材Ｐ１をリッド部材Ｌに沿わせて収容する際にスライド部材７０が整合する。
【００２２】
第１仕切部材Ｐ１および第２仕切部材Ｐ２には、図１および図３に示すように、収納部１２に収納した飲料容器を側方から保持する保持部材６５が配設されている。この保持部材６５は、左右の端部に突設したヒンジピン６６,６６を、第１仕切部材Ｐ１に設けたヒンジ孔６３,６３に夫々嵌合させることで、第１仕切部材Ｐ１に折り畳んだ収納状態(図６(ａ)、図９)と、該第１仕切部材Ｐ１から略直角に延出した保持状態(図１、図１０)との間で回動可能となっている。なお、保持部材６５の先端部には、飲料容器を保持する曲面状の保持端部６７が形成されている。
【００２３】
第１ガイド部４１は、図３および図７に示すように、リッド部材Ｌの裏面３１にガイド部材４３を装着することで、開放状態でのリッド部材Ｌの上下方向における略中間部分において、リッド部材Ｌの後方へ開放すると共に該リッド部材Ｌの左右方向へ直線状に延在するガイド溝である。ガイド部材４３は、図３および図６に示すように、短手方向における断面形状が略Ｌ形をなす成形部材であり、リッド部材Ｌの左端部３０Ａおよび右端部３０Ｂの内側に設けた取付片３６,３６に両端部を固定することで、リッド部材Ｌの裏面３１に沿って左右方向に延在する。そして、図６および図７に示すように、リッド部材Ｌの裏面３１と、該裏面３１から離間したガイド部材４３のガイド壁４４との間に、スライド部材７０のスライド移動を許容するスライド空間が形成される。なお、ガイド部材４３の両端近傍には、第１ロック部材８１および第２ロック部材８２を取り付けるための台座部４５および開口部４６が形成されている。
【００２４】
また、リッド部材Ｌの裏面３１には、第１ガイド部４１に沿ってリッド部材Ｌの左右方向に延在する係合段部５０が形成されている。この係合段部５０は、第１ガイド部４１に沿って所要ピッチ毎に間隔をあけて設けた複数の係合凹部(第１係合部)５１を有している。そして、スライド部材７０に設けた第２係合部としての係合スプリング７５が、これら係合凹部５１に対応的に係合するよう構成されている。すなわち、スライド部材７０に設けた係合スプリング７５が、係合段部５０に弾力的に当接して各係合凹部５１に係合することで、リッド部材Ｌに対するスライド部材７０の保持が図られ、これによりリッド部材Ｌに対する第１仕切部材Ｐ１の保持が図られる。
【００２５】
第２ガイド部４２は、図１および図３に示すように、リッド部材Ｌの後端部におけるリブ３０の内側に、閉成状態におけるリッド部材Ｌの前方に向けて開放すると共に該リッド部材Ｌの左右方向へ直線状に延在するガイド溝である。この第２ガイド部４２には、第１仕切部材Ｐ１および第２仕切部材Ｐ２に設けた第２支持ピン６１,６１が摺動可能に係合し、各第２支持ピン６１,６１は第２ガイド部４２に沿ってリッド部材Ｌの左右方向へ移動可能となる。
【００２６】
スライド部材７０は、図３および図６に示すように、前述した第１ガイド部４１に係合された状態でリッド部材Ｌの左右方向へスライド移動するブロック状の成形部材である。このスライド部材７０は、第１支持ピン６０が嵌合する支持孔７１が形成され、第１支持ピン６０を支持孔７１に嵌合させることで、第１仕切部材Ｐ１に対して回転可能に連結される。またスライド部材７０は、係合段部５０の側に開口部７２Ａを有する装着部７２が形成され、装着部７２に装着された係合スプリング７５が、開口部７２Ａを介して係合段部５０側へ突出した状態で装着される。従ってスライド部材７０は、係合段部５０に弾力的に当接する係合スプリング７５の付勢力により、ガイド部材４３のガイド壁４４へ押し付けられながら第１ガイド部４１に沿ってスライドする。
【００２７】
係合スプリング７５は、図３および図７に示すように、中央部で湾曲した略Ｕ字形に形成され、スライド部材７０の装着部７２に装着すると、中央部分７５Ａが該スライド部材７０から突出すると共に、両側の脚部分７５Ｂ,７５Ｂが装着部７２内でスライド部材７０に係止する。そして、中央部分７５Ａを外方から押すと係合スプリング７５が全体的に弾性変形し、スライド部材７０からの中央部分７５Ａの突出量が減少する。このような係合スプリング７５は、スライド部材７０が第１ガイド部４１に沿って移動する際に常に係合段部５０に弾力的に当接しており、各係合凹部５１に整合した際には係合スプリング７５の突出量が大きくなり、係合凹部５１間の膨出部分に整合した際には係合スプリング７５が突出量が小さくなる。従ってスライド部材７０は、第１ガイド部４１に沿ってスライドするに際して係合スプリング７５が各係合凹部５１に整合した位置毎に保持され、これによりスライド部材７０に連結された第１仕切部材Ｐ１および第２仕切部材Ｐ２は、係合スプリング７５が各係合凹部５１に整合した位置毎に保持され得る。
【００２８】
なお、第１仕切部材Ｐ１および第２仕切部材Ｐ２の各第１支持ピン６０,６０には、仕切部材Ｐ１,Ｐ２とスライド部材７０,７０との夫々係止される第２トーションスプリング７７が配設されている。これら第２トーションスプリング７７,７７は、第１仕切部材Ｐ１および第２仕切部材Ｐ２を、常に仕切状態に向け姿勢変位するよう付勢する。
【００２９】
また、ガイド部材４３の左端近傍には、図１および図５に示すように、第１仕切部材Ｐ１をリッド部材Ｌの裏面３１に沿わせた収容状態に保持する第１ロック部材８１が配設されると共に、該ガイド部材４３の右端近傍には、第２仕切部材Ｐ２をリッド部材Ｌの裏面３１に沿わせた収容状態に保持する第２ロック部材８２が配設されている。これら第１ロック部材８１および第２ロック部材８２は基本的には同一構成となっているので、ここでは第１ロック部材８１についてのみ説明し、第２ロック部材８２に関しては、第１ロック部材８１と同一の部材および部位を同一の符号で指示し、詳細な説明は省略する。
【００３０】
第１ロック部材８１は、図３および図５に示すように、ガイド部材４３に設けた開口部４６を介して該ガイド部材４３の上方へ突出する操作部８３と、ガイド部材４３の裏側に係止される係止部８４と、第１仕切部材Ｐ１の上縁部内側に設けた係止受部６４に係止する鈎部８５とから構成されている。そして第１ロック部材８１は、係止部８４の下面とガイド部材４３に設けた台座部４５との間に配設した圧縮コイルスプリング８６により常に上方へ付勢され、操作部８３がガイド部材４３から上方へ突出した状態で該ガイド部材４３に配設されている。この状態では、図５(ｂ)に実線で示すように、第１仕切部材Ｐ１が収容状態に保持される。一方、操作部８３を下方へ押すと、圧縮コイルスプリング８６の付勢力に抗して第１ロック部材８１が下方へ移動するので、図５(ｂ)に２点鎖線で示すように、第１ロック部材８１による第１仕切部材Ｐ１のロックが解除される。従って第１仕切部材Ｐ１は、第２トーションスプリング７７の付勢力により、仕切状態に向けて回転するようになる。
【００３１】
前述のように構成された実施例の容器ホルダＨは、リッド部材Ｌの開放状態において、該リッド部材Ｌの裏側に支持された第１仕切部材Ｐ１および第２仕切部材Ｐ２は、収納部１２の後方側に位置する。そして、第１仕切部材Ｐ１および第２仕切部材Ｐ２をリッド部材Ｌの裏側に収容した状態では、収納部１２が単一の収納部分として画成され、該収納部１２の全体に物品を収納することが可能となる。
【００３２】
第１仕切部材Ｐ１により収納部１２を仕切る場合には、図９に示すように、第１ロック部材８１を押すことで、該第１仕切部材Ｐ１が第２トーションスプリング７７の付勢力により収容状態から仕切状態へ姿勢変位する。従って収納部１２は、第１仕切部材Ｐ１により左右方向において２つに仕切られて左右２つの収納部分が画成され、夫々の収納部分に物品を分けて収納することが可能となる。しかも、仕切状態における第１仕切部材Ｐ１は、その端部が収納部１２における前壁１３および底壁１７に接触または近接しているので、左側の収納部分に収納した物品が右側の収納部分へ移動することがなく、また右側の収納部分に収納した物品が左側の収納部分へ移動することもない。
【００３３】
第１仕切部材Ｐ１で２つに仕切られた収納部１２における左側の収納部分に、ペットボトル、ビンまたは缶からなる飲料容器を保持する場合には、図１０に示すように、第１仕切部材Ｐ１に設けた保持部材６５を、水平の保持状態に姿勢変位させる。これにより、第１仕切部材Ｐ１で仕切られた収納部１２における左側の収納部分に飲料容器を収納すると共に、該第１仕切部材Ｐ１で仕切られた収納部１２における右側の収納部分に物品を収納し得る。この状態においても、右側の収納部分に収納した物品が、飲料容器が収納された左側の収納部分へ移動することがない。
【００３４】
また、第１仕切部材Ｐ１を左方向へスライドさせて収納部１２に対する該第１仕切部材Ｐ１の仕切位置を変更することができるので、第１仕切部材Ｐ１で仕切られた各収納部分の大きさを変更調整し得る。これにより、例えば左側の収納部分に収納した飲料容器が小型の場合には、第１仕切部材Ｐ１を左方向へ移動させることで右側の収納部分が大きくなり、該右側の収納部分により多くの物品の収納が可能となる。なお、第１仕切部材Ｐ１のスライドは、保持部材６５の姿勢に関係なく行なうことができる。
【００３５】
そして第１仕切部材Ｐ１は、係合スプリング７５が係合凹部５１に係合することで、スライドさせた位置において保持される。従って、車両振動等により、収納した飲料容器または物品が第１仕切部材Ｐ１を押したとしても、該第１仕切部材Ｐ１が移動することが防止され、これら飲料容器や物品が適切に保持される。
【００３６】
一方、第２仕切部材Ｐ２により収納部１２を仕切る場合には、第２ロック部材８２を押すことで、該第２仕切部材Ｐ２が第２トーションスプリング７７の付勢力により折り畳み状態から仕切状態へ姿勢変位する。従って収納部１２は、第２仕切部材Ｐ２により左右方向において２つに仕切られて左右２つの収納部分が画成され、夫々の収納部分に物品を収納することが可能となる。しかも、仕切状態における第２仕切部材Ｐ２は、その端部が収納部１２における前壁１３および底壁１７に接触または近接しているので、右側の収納部分に収納した物品が左側の収納部分へ移動することがなく、また左側の収納部分に収納した物品が右側の収納部分へ移動することもない。また図示省略するが、第２仕切部材Ｐ２においても、該第２仕切部材Ｐ２に配設した保持部材６５を姿勢変位させることで、第２仕切部材Ｐ２で仕切られた収納部１２における右側の収納部分に収納した飲料容器の保持が可能となる。更に、第２仕切部材Ｐ２を任意位置にスライドさせて保持することも可能である。
【００３７】
なお、実施例の容器ホルダＨでは、第１仕切部材Ｐ１および第２仕切部材Ｐ２を備えており、両仕切部材Ｐ１,Ｐ２を同時に仕切状態とし得る。従って、仕切状態に姿勢変位した両仕切部材Ｐ１,Ｐ２を、左右方向へ適宜離間するようにスライドさせれば、収納部１２内を３つの収納部分に仕切ることが可能である。
【００３８】
(変更例)
実施例では、第１および第２の２つの仕切部材Ｐ１,Ｐ２を備えた容器ホルダＨを示したが、仕切部材Ｐは１つであってもよい。この場合、仕切部材Ｐの両側に夫々保持部材６５を配設するようにすれば、仕切状態とした該仕切部材Ｐの両側で飲料容器を保持することができる。
【００３９】
保持部材６５は、手動により姿勢変位させるものに限定されず、トーションスプリングおよびロック部材を備えることで、保持状態へ姿勢変位させる際にはトーションスプリングの付勢力により姿勢変位させるようにしてもよい。
【図面の簡単な説明】
【００４０】
【図１】実施例に係る容器ホルダを、リッド部材を後方へ開放させると共に、該リッド部材に配設した各仕切部材により収納部を仕切った状態で示した斜視図である。
【図２】リッド部材を閉成状態に保持させた状態で示した容器ホルダの側断面図である。
【図３】容器ホルダを構成するリッド部材、各仕切部材、ガイド部材、スライド部材およびロック部材を示した分解斜視図である。
【図４】第１本体部および第２本体部を分離させた本体部材の斜視図である。
【図５】(ａ)は、図８のVa−Va線断面図であり、(ｂ)は、(ａ)のＡ部拡大図である。
【図６】(ａ)は、図９のVIa−VIa線断面図であり、(ｂ)は、(ａ)のＢ部拡大図である。
【図７】図１０のVII−VII線断面図である。
【図８】リッド部材を開放させた状態を示した斜視図である。
【図９】第１ロック部材を押して第１仕切部材を仕切状態へ姿勢変位させ、該第１仕切部材により収納部を仕切った状態を示した斜視図である。
【図１０】第１仕切部材から保持部材を引き出した状態を示した斜視図である。
【図１１】第１仕切部材をリッド部材に沿ってスライドさせる状態を示した斜視図である。
【符号の説明】
【００４１】
１２ 収納部，１３ 前壁(縦壁)，１７ 底壁，４１ 第１ガイド部(ガイド部)
５１ 係合凹部(第１係合部)，６５ 保持部材，７５ 係合スプリング(第２係合部)
Ｍ 本体部材，Ｌ リッド部材，Ｐ 仕切部材
【図１】
2009143449.tif 000003
【図２】
2009143449.tif 000004
【図３】
2009143449.tif 000005
【図４】
2009143449.tif 000006
【図５】
2009143449.tif 000007
【図６】
2009143449.tif 000008
【図７】
2009143449.tif 000009
【図８】
2009143449.tif 000010
【図９】
2009143449.tif 000011
【図１０】
2009143449.tif 000012
【図１１】
2009143449.tif 000013